(57)【特許請求の範囲】
【請求項１】
建物を構成する柱を中心としてその周囲に立設される枠体と、その枠体の上部に固定され上記柱の周囲に環状に配置される内周側レールと、上記枠体の上部に固定され上記内周側レールの外側に同心円上に配置される外周側レールと、上記枠体を囲むようにして設けられ円弧状の内周面を有するケーシングと、上記既設の柱を中央に貫通させた状態で配設された回転天井体と、この回転天井体に吊持され、上記ケーシング内で回転する複数の扉体と、上記回転天井体を回転させる駆動手段と、を備え、上記回転天井体は、その外周部が上記外周側レール上を転動する複数の車輪を介して上記外周側レールに支持される一方、内周部が垂直軸まわりに上記内周側レールを転動する補助車輪を介して上記内周側レールに支持されていることを特徴とする回転ドア装置。
【請求項２】
上記枠体が、複数の方立と、この方立間に架設される水平梁部材とから構成され、上記方立の上部に上記外周側レールが固定され、上記水平梁部材に上記内周側レールが吊持されている請求項１記載の回転ドア装置。
【請求項３】
上記駆動手段が、少なくとも一つの上記車輪の回転軸に接続されその車輪を回転させるモータを備えている請求項１または２記載の回転ドア装置。
【請求項４】
上記複数の扉体が、上記回転天井体の外周寄りに配置されたヒンジによって垂直軸まわりに揺動可能に構成され、上記補助車輪が上記内周側レールの外周面を転動するように構成されている請求項１〜３のいずれかに記載の回転ドア装置。
【請求項５】
上記複数の扉体が、上記回転天井体の内周寄りに配置されたヒンジによって垂直軸まわりに揺動可能に構成され、上記回転天井体は、上記補助車輪と、上記回転天井体の内周部に備えられた水平軸まわりに回転する走行輪とを介して内周部が上記内周側レールに支持、案内されるように構成されている請求項１〜３のいずれかに記載の回転ドア装置。
【請求項６】
上記回転天井体の内周部から上記既設柱をカバーする筒状のカバー体が垂下され、上記複数の扉体がそのカバー体に接続されている請求項１から５のいずれかに記載の回転ドア装置。
【請求項７】
上記カバー体が透明部材で構成されている請求項６記載の回転ドア装置。
【発明の詳細な説明】
【０００１】
【発明の属する技術分野】
本発明は、建造物内の既設の柱を利用して設置される回転ドア装置に関するものである。
【０００２】
【従来の技術】
従来、建物内に設置されている引き戸式の自動ドア装置を回転ドア装置に交換することがある。回転ドア装置によれば、建物内と外気とをより確実に遮断することができるため省エネを図ることができ、また、気圧差による気流の発生も防止することができるという利点がある。
【０００３】
この回転ドア装置の設置方法としては、図９に示すように、まず、建物内に列設されている既設の柱６０，６１，６２について、特定の柱６１の下部床面に環状の下側レール６３を取り付け、柱６１の天井部に同じく環状の上側レール６４を取り付ける。
【０００４】
柱６１は筒状カバー６５で覆い、その筒状カバー６５の外周面に４枚の扉体６６〜６９を放射状に固定し、下部に複数の車輪７０を配置する。この筒状カバー６５は柱６１まわりに回転するが、その上部は上記した上側レール６４によってガイドされ、また、その下部は車輪７０を介して下側レール６３に支持されている。
【０００５】
７１は扉体６６〜６９を回転させる駆動源としてのモータであり、このモータ７１の回転力は、駆動スプロケット７２、溝付き平ベルト７３、歯車機構７４を介して環状のローラチェーン７５に伝達され、さらに連結具７６によって筒状カバー６５に伝達される。
【０００６】
回転力が与えられた筒状カバー６５をその外周壁に固定された各扉体６６〜６９を矢印Ａ方向に回転させる。
【０００７】
なお、７７は固定フレーム７８に設けられローラチェーン７５を環状に保持するためのアイドラである。７９および８０は、扉体６６〜６９の外周部に配置され既設の柱６０および６２に固定される円筒状のケーシングである。
【０００８】
【発明が解決しようとする課題】
しかしながら、従来の既設の柱に回転ドア装置を設置する方法では、特定の柱６１を扉体６６〜６９の回転軸として利用するため、筒状カバー６５を回転自在に支持するための部品（上記した従来例では上側レール６４、下側レール６３）を柱６１に固定しなければならず、柱が例えば大理石のような高価なものでは回転軸として利用しづらく、また、既設の柱が老朽化していれば回転軸として強度が不足するという問題がある。
【０００９】
既設の柱に強度が要求されるのは、筒状カバー６５は連結具７６によって引張り力が働いた状態で回転しており、その引張り力に対抗できるように筒状ケース６５を上側レール６４で支持し、回転中心がぶれないようにする必要があるからである。
【００１０】
本発明は以上のような従来の既設の柱に回転ドア装置を設置する際の課題を考慮してなされたものであり、既設の柱の材質や強度に左右されずその既設の柱を回転軸として使用することなく扉体を正確に回転させることができる回転ドア装置を提供するものである。
【００１１】
【課題を解決するための手段】
本発明は、建物を構成する柱を中心としてその周囲に立設される枠体と、その枠体の上部に固定され上記柱の周囲に環状に配置される内周側レールと、上記枠体の上部に固定され上記内周側レールの外側に同心円上に配置される外周側レールと、上記枠体を囲むようにして設けられ円弧状の内周面を有するケーシングと、上記既設の柱を中央に貫通させた状態で配設された回転天井体と、この回転天井体に吊持され、上記ケーシング内で回転する複数の扉体と、上記回転天井体を回転させる駆動手段と、を備え、上記回転天井体は、その外周部が上記外周側レール上を転動する複数の車輪を介して上記外周側レールに支持される一方、内周部が垂直軸まわりに上記内周側レールを転動する補助車輪を介して上記内周側レールに支持されている回転ドア装置である。
【００１２】
本発明において、上記枠体は、複数の方立と、この方立間に架設される水平梁部材とから構成することができ、方立の上部に外周側レールを固定することができ、水平梁部材に内周側レールを吊持することができる。
【００１３】
本発明において、上記駆動手段は、具体的には少なくとも一つの上記車輪の回転軸に接続されその車輪を回転させるモータを備える構成とすることができる。
【００１４】
また、上記複数の扉体を、回転天井体の外周寄りに配置されたヒンジによって垂直軸まわりに揺動可能とし、上記補助車輪が上記内周側レールの外周面を転動するように構成すれば、大型荷物を簡単に通過させることができる。この場合、扉体揺動動作によって回転天井体の外周部に荷重が加わり、この荷重は外周側レールで受けられる。従って、内周側レールは、専ら回転天井体の回転時における水平方向の振れを規制することになる。
【００１６】
一方、複数の扉体は、回転天井体の内周寄りに配置されたヒンジによって垂直軸まわりに揺動可能に構成することもできる。この場合、扉体揺動動作によって回転天井体の内周部に荷重が加わり、この荷重は内周側レールで受けられる。従って、このときの内周側レールは、回転天井体の回転時における水平方向の振れを規制するだけでなく、回転天井体の内周部を支持することになる。
【００１７】
そのための具体的な構成としては、回転天井体は、上記補助車輪と、回転天井体の内周部に備えられた水平軸まわりに回転する走行輪とを介して内周部が上記内周側レールに支持、案内されるように構成すればよい。
【００１８】
また、回転天井体の内周部から既設柱をカバーする筒状のカバー体を垂下させれば、複数の扉体をそのカバー体に接続することができる。
【００１９】
また、カバー体を透明部材、例えば透明アクリル樹脂で構成すれば、大理石で製造されたような高価な柱を覆い隠すことなく、回転ドア装置を設置することができる。一方、既設の柱が古くて露出させる必要がない場合には、透光性のない筒状のカバー体で囲い、各扉体をそのカバー体の外周面に固定することができる。
【００２０】
【発明の実施の形態】
以下、本発明に係る回転ドア装置の実施形態を図１〜図８に従って詳細に説明する。なお、図１〜図５は第一の実施形態、図６〜図８は第二の実施形態である。
【００２１】
まず、第一の実施形態において、図１（ａ）は回転ドア装置１の正面図、（ｂ）はその平面図を示したものである。
【００２２】
両図において、回転ドア装置１は、建物内に列設されている既存の柱（以下、柱と略称する）２，３，４のうちの一つ（図では柱３）を中心としてその周囲に枠体としてのフレーム（後述する）が設置され、仮想の回転軸Ｖ．Aを中心とし４枚の扉体５が９０°毎に放射状に配置される。
【００２３】
扉体５の回転によって描かれる外周円に沿って一対のケーシング６，７が対向して配置されており、各ケーシング６および７における周方向両端部と略中央部には、それぞれ、方立８ａ，８ｂ，８ｃおよび方立９ａ，９ｂ，９ｃが垂直方向に立設されており、ケーシング６，７を支持するようになっている。
【００２４】
また、一方のケーシング６はガラス壁１０を介して柱２に接続されており、他方のケーシング７はガラス壁１１を介して柱４に接続されている。ただし、各柱２，４にはケーシング固定用の角筒状カバー材１２，１３が被装されている。
【００２５】
各ケーシング６，７の間の２つの領域ＢおよびＣは、通行者の出入口となっている。
【００２６】
そして、いずれかの扉体５の外周端５ａが一方のケーシング６の端部６ａに対応する位置に移動すると、他の扉体５の外周端５ａもまた、他方のケーシング７の端部７ａに対応する。このように、各扉体５の外周端５ａが、それぞれ各ケーシング６，７の各端部６ａ，７ａに対応して停止し、出入口を遮断している状態を回転ドア５が定位置にあると呼んでいる。
【００２７】
回転ドア５をその定位置に停止させるため、方立６ａには近接スイッチ１４が配置されており、この近接スイッチ１４は、特定の扉体５の外周端５ａが近接したことを検知して信号を制御装置１５に与えるようになっている。それにより、制御装置１５は、回転ドア５が定位置に到達したことを認識することができる。
【００２８】
更に、出入口Ｃ上の天井部には、通行者の接近を検知する通行者検知センサ１６ａ，１６ｂが設けられ、出入口Ｂ上の天井部にも同様に、通行者の接近を検知する通行者検知センサ１７ａ，１７ｂが設けられている。
【００２９】
これらの通行者検知センサ１６，１７は、例えば反射型光センサからなり、通行者を検知すると検知信号を制御装置１５に入力するようになっている。
【００３０】
なお、１８は既存の柱３を被うようにして配置される円筒状の化粧カバーである。ただし、この化粧カバー１８は回転する扉体５とは分離されており、単に古い既存の柱３を隠すためにのみ設けられたものである。
【００３１】
図２は上記した回転ドア装置１のフレーム構造を概略的に示したものである。
【００３２】
両図において、方立８ａ，８ｂ，８ｃの各下端部は円弧状のフレーム８ｄに接続されており、方立９ａ，９ｂ，９ｃの各下端部も同様に円弧状のフレーム９ｄに接続されている。そして各方立８ａ〜９ｃの上部を連結するようにして環状の外周側レール１９が取り付けられている。
【００３３】
なお、方立８ａ，８ｃ，９ａ，９ｃの各上端は、正方形に組まれた水平梁部材２０の各角部に接続されている。
【００３４】
この外周側レール１９に対応してその内側同心円上に環状の移動レール２１が配置されている。この移動レール２１には天井梁部材２２，２３が格子状に架設されており、全体として回転軸Ｖ．Ａを中心に回転する回転フレーム２４を構成している。その回転フレーム２４の構成を図３に示す。
【００３５】
同図において、移動レール２１に架設されている一対の天井梁部材２２は、既設の柱３を避けて並行して配置され、一対の天井梁部材２３もまた既設の柱３を避けて並行して配置され、それにより、回転フレーム２４の中央に窓枠部２４ａが正方形に形成されている。
【００３６】
移動レール２１において各天井梁部材２３，２４が接続されている部位にはローラ（車輪）２５が外向きに突出して配設されており、本実施形態では移動レール２１に合計８個のローラ２５が配設されている。
【００３７】
各ローラ２５は、それぞれ外周側レール１９上を転動するようになっているが、特定のローラ２５ａのみモータ２６を駆動源として回転するようになっている。以下、ローラ２５ａを駆動ローラと呼ぶ。
【００３８】
なお、図中、２２ａおよび２３ａは補強梁であり、天井梁部材２２または２３を幅方向に接続して梁の強度を高めるようになっている。
【００３９】
図４は図３のＤ−Ｄ矢視断面図であり、モータ２６を駆動源として回転する駆動ローラ２５ａの構成を示したものである。
【００４０】
モータ２６の出力軸は減速機２７に接続され、所定の回転速度に調節される。減速機２７の回転軸２８は軸受部２９に回転自在に支持され、回転軸２８の先端に駆動ローラ２５ａが取り付けられている。なお、図中２５ｂはローラ２５の外周面に貼着されたゴム層であり、３０はレールの支持部材である。
【００４１】
なお、駆動輪を構成しない他のローラ２５は、図５に示すように、天井梁部材２２の外周側端部から外向きに突設された軸３１に回転自在に取り付けられている。
【００４２】
また、回転フレーム２４の窓枠部２４ａにはＬ形鋼３２を介して補助ローラ（補助車輪）３３が４箇所内向きに設けられている。これらの補助ローラ３３は、垂直軸まわりに回転することができ、水平梁部材２０から複数垂下されたL形鋼３４に固定された内周側レール３５の外周面上を転動することにより、回転フレーム２４の回転中心が振れることを防止している。
【００４３】
回転フレーム２４の下方には化粧カバー１８を中心に貫通させた状態で円形の天井板３６が取り付けられている。そしてこの天井板３６の下方に複数の扉体５が配置されている。なお、上記回転フレーム２４および天井板３６は回転天井体として機能する。
【００４４】
扉体５は、回転フレーム２４の外周寄りに設けられた柱部３７を境として二枚に分割された内側扉５ａおよび外側扉５ｂから構成されている。
【００４５】
内側扉５ａは、上框50a，下框51a，手先框52aおよび軸元框53aを有し、その内側にガラスパネル54aが嵌め込まれている。
【００４６】
軸元框53aの上端にはヒンジとして機能する軸体55aが立設されており、この軸体55aを介し内側扉５ａを吊り下げた状態で支持するための扉支持部22bが天井梁部材２２に設けられている。この軸体55aを回転軸として内側扉５ａを回転させれば、内側扉５ａを開くことができる。
【００４７】
また、外側扉５ｂも基本的に内側扉５ａと同じ構成からなり、上框50b，下框51b，手先框52bおよび軸元框53bを有し、その内側にガラスパネル54bが嵌め込まれている。
【００４８】
軸元框53bの上端にはヒンジとして機能する軸体55bが立設されており、この軸体55bを介し外側扉５ｂを吊り下げた状態で支持するための扉支持部22cが天井梁部材２２に設けられている。この場合も内側扉５ａと同様に軸体55bを回転軸として外側扉５ｂを開くことができる。
【００４９】
上記内側扉５ａを開くようにしているのは例えば大型荷物を通過させることができるようにするためであり、上記外側扉５ｂを開くようにしているのは、外側扉５ｂとケーシング６，７との間で通行者の手や体の一部が挟まれたときに脱出できるようにするためである。
【００５０】
なお、内側扉５ａと化粧板１８、天井板３６との各隙間、外側扉５ｂとケーシング７、天井板３６との各隙間には、それぞれ気密性を高めるためのエアタイト材３８が設けられている。
【００５１】
次に上記構成を有する回転ドア装置１の動作を、先に説明した図３を参照しながら説明する。
【００５２】
同図において、通行者が回転ドア装置１の出入口に接近すると、センサ１６または１７（図１参照）から検知信号が出力され、この検知信号に基づいて制御装置１５は、回転フレーム２４の外周部に搭載されている各モータ２６を駆動させる。
【００５３】
各モータ２６が駆動すると、減速機２７を介して回転力が駆動ローラ２５ａに伝達され、駆動ローラ２５aは外周側レール１９上をそれぞれ矢印Ｅ方向に回転し、それにより、回転フレーム２４が回転し始める。
【００５４】
回転フレーム２４には各扉体５が吊持されているため、回転フレーム２４の回転に伴って扉体５が化粧板１８のまわりを回転する。
【００５５】
この回転ドア装置１は回転軸を持たないため、回転フレーム２４が回転すると水平方向の振れが発生するが、補助ローラ３３が内周側レール３５（図５参照）の外周面に当接しながら転動しているため、その振れを防止して回転フレーム２４を正確に回転させることができる。
【００５６】
このように第一の実施形態によれば、既存の柱３を支えとして回転することなく、しかも既存の柱３に対して何ら荷重を与えることなく扉体５を回転させることが可能となる。その結果、既存の柱３の形状、材質などに左右されずに回転ドア装置１を設置することができる。
【００５７】
次に、本発明の第二の実施形態について図６〜図８を参照しながら説明する。
【００５８】
図６は第二の実施形態に係る回転ドア装置の平面図を示したものである。なお、以降の図において上述した図と同じ構成要素については同一符号を付してその説明を省略する。
【００５９】
図６に示す構成が図１のそれと異なる点は、扉体４０の揺動支点４０ａが回転中心寄りに位置していることである。また、回転フレーム４３から例えば八角形の筒状カバー（カバー体）４０ｂを垂下させ、その筒状カバー４０ｂ外周面に複数の扉体を接続している。従って、この構成では回転フレーム４３と筒状カバー４０ｂと扉体４０が一体に回転する。
【００６０】
上記したように揺動支点４０ａが回転中心寄りに位置していると、扉体４０の揺動動作時に、天井梁部材４１，４２からなる回転フレーム４３（図７参照）の窓枠部Ｆに荷重が加わり回転フレーム４３の中央が変位する虞れがある。
【００６１】
そこで、回転フレーム４３の窓枠部Ｆを、固定フレーム２０から吊持した内周側レール４５で支持するようにしている。
【００６２】
詳しくは、図８に示すように、固定フレーム２０から複数のＬ形鋼４４を垂下させ、これらのＬ形鋼４４を連絡するようにしてＣ形鋼からなる内周側レール４５を取り付けている。
【００６３】
一方、天井梁部材４１，４２における内周側端部には、Ｃ形鋼からなる金具４６を介して走行ローラ（走行輪）４７およびガイドローラ（ガイド輪）４８が設けられている。
【００６４】
走行ローラ４７は水平軸まわりに回転することができ、内周側レール４５をガイドとして転動する。ガイドローラ４８は垂直軸まわりに回転することができ、内周側レール４５に付設されたＬ形鋼４５ａの外周面に沿って転動し、回転フレーム４３が水平方向に振れることを防止している。
【００６５】
扉体４０は、筒状カバー４０ｂの外周側に揺動自在に支持される可動扉５ｄで構成されている。
【００６６】
筒状カバー４０ｂは、上框50a´，下框51a´および縦枠53a´で囲まれた枠内にガラスパネル54a´が嵌め込まれている。
【００６７】
可動扉５ｄは軸元框53b´の上端にヒンジとして機能する軸体55b´が立設されており、この軸体55b´を介して扉５ｄを吊り下げた状態で支持するための扉支持部４２ａが天井梁部材４２に設けられている。
【００６８】
また、筒状カバー４０ｂの下端より延びた受け金具５５ｃに立設された軸体５５ｄに扉５ｄの軸元框５３ｂ´の下端が支持されている。従って軸体55b´及び５５ｄを回転軸として可動扉５ｄの手先框52b´を押せば、可動扉５ｄを開くことができる。
【００６９】
なお、上記筒状カバー４０ｂをアクリル樹脂などの透明部材で構成すれば、大理石で製造された高価な柱を隠すことなく、回転ドア装置を設置することができるようになる。
【００７０】
【発明の効果】
以上説明したことから明らかなように、請求項１および２の本発明によれば、既存の柱を中心として枠体を構築し、その枠体上に外周側レールと内周側レールを固定し、この各レールに回転天井体を回転自在に支持させ、この回転天井体から複数の扉体を吊持し回転天井体を駆動手段で回転させるように構成したため、既存の柱を回転軸として利用する必要がなく、任意の既存の柱に対して回転ドア装置を設置することができる。しかも、回転天井体の内周部に補助車輪を設けたため、水平方向の振れを規制しつつ回転天井体を円滑に回転させることができる。
【００７１】
請求項３の本発明によれば、回転天井体にモータを搭載し回転天井体自体を回転させるように構成したため、既存の柱に対して何ら荷重を与えることがない。それにより、既存の柱を隠さず、かつ加工することなく回転ドア装置を設置することができる。
【００７２】
請求項４の本発明によれば、回転天井体の外周寄りに配置されたヒンジによって扉体を揺動可能に構成したため、扉体の揺動動作時に回転天井体に加わる荷重を外周側レールに支持させることができ、回転天井体の構成を簡単にすることができる。
【００７４】
請求項５の本発明によれば、回転天井体の内周寄りに配置されたヒンジによって扉体を揺動可能に構成したため、扉体揺動動作によって回転天井体の内周部に荷重が加わるが、この荷重は内周側レールで受けられる。それにより、回転天井体の回転時における水平方向の振れが規制されるとともに、回転天井体の内周部も支持される。
【００７５】
そして、上記水平方向の振れは補助車輪によって規制され、また、回転天井体の内周部は内周側レールを移動する走行輪によって支持することができる。
【００７６】
請求項６の本発明によれば、回転天井体の内周部から既設柱をカバーする筒状のカバー体を垂下させれば、複数の扉体をそのカバー体に接続するように構成したため、扉体を安定して回転させることができる。
【００７７】
請求項７の本発明によれば、カバー体を透明部材で構成したため、既存の柱が例えば大理石などで製造され美観を呈する場合にはその柱を見せた状態で回転ドア装置を設置することができる。
【図面の簡単な説明】
【図１】（ａ）は本発明に係る回転ドア装置の第一実施形態を示す正面図、（ｂ）はその平面図である。
【図２】図１に示す回転ドア装置のフレーム構造を示す斜視図である。
【図３】図２に示す回転フレームの構成を示す平面図である。
【図４】図３に示す駆動ローラの構成を示す拡大断面図である。
【図５】図１に示す扉体の吊り構造を示す説明図である。
【図６】本発明に係る回転ドア装置の第二実施形態を示す平面図である。
【図７】図６に示す回転フレームの構成を示す平面図である。
【図８】図６に示す扉体の吊り構造を示す説明図である。
【図９】従来の既存の柱に対する回転ドア装置設置方法を示す斜視図である。
【符号の説明】
１  回転ドア装置
２，３，４  既存の柱
５  扉体
６，７  ケーシング
１０，１１  ガラス板
１２，１３  角筒状カバー材
１４  近接スイッチ
１５  制御装置
１６，１７    センサ
１８  化粧カバー
１９  外周側レール
２０  水平梁部材
２１  移動レール
２２，２３  天井梁部材
２４  回転フレーム
２４ａ  窓枠部
２５  ローラ
２５ａ  駆動ローラ
３３  補助ローラ
３５  内周側レール
３６  天井板
４５  内周側レール
【図１】
0003813484.tif 000002
【図２】
0003813484.tif 000003
【図３】
0003813484.tif 000004
【図４】
0003813484.tif 000005
【図５】
0003813484.tif 000006
【図６】
0003813484.tif 000007
【図７】
0003813484.tif 000008
【図８】
0003813484.tif 000009
【図９】
0003813484.tif 000010